(57)【要約】【課題】均一に発光する照明装置及び照明ユニットを提供する。【解決手段】  実施形態によれば、光透過性部材と、シャーシと、半導体発光部と、を含む照明装置が提供される。前記光透過性部材は、第１部材端と、第２部材端と、を有する。前記シャーシは、ベース部と、第１側部と、第２側部と、を含む。前記ベース部は、第１ベース端と、第２ベース端と、を有する。前記第１側部は、前記第１ベース端から前記第１部材端に向けて延び、前記第１ベース端に接続された第１端部と、前記第１部材端の側の第２端部と、を有する。前記第２側部は、前記第２ベース端から前記第２部材端に向けて延び、前記第２ベース端に接続された第３端部と、前記第２部材端の側の第４端部と、を有する。前記第１端部と前記第３端部との間の第１方向に沿った距離は、前記第２端部と前記第４端部との間の前記第１方向に沿った距離よりも短い。【選択図】図１
2014175092.tif 000002
【特許請求の範囲】
【請求項１】
第１部材端と、第１方向において前記第１部材端と離間する第２部材端と、を有する第１光透過性部材と、
前記第１方向と交差する第２方向において前記第１光透過性部材と離間する第１ベース部であって、第１ベース端と、前記第１方向において前記第１ベース端と離間する第２ベース端と、を有する第１ベース部と、
前記第１ベース端から前記第１部材端に向けて延び、前記第１ベース端に接続された第１端部と、前記第１部材端の側の第２端部と、を有する第１側部と、
前記第２ベース端から前記第２部材端に向けて延び、前記第２ベース端に接続された第３端部と、前記第２部材端の側の第４端部と、を有する第２側部と、
を含み、前記第１端部と前記第３端部との間の前記第１方向に沿った距離は、前記第２端部と前記第４端部との間の前記第１方向に沿った距離よりも短い第１シャーシと、
前記第１光透過性部材と前記第１ベース部との間において、前記第１側部と前記第２側部との間に設けられた第１半導体発光部と、
を備えた照明装置。
【請求項２】
前記第１端部と前記第２端部とを結ぶ線分と、前記第２方向と、の間の角度は、０度よりも大きく９０度よりも小さく、
前記第３端部と前記第４端部とを結ぶ線分と、前記第２方向と、の間の角度は、０度よりも大きく９０度よりも小さい請求項１記載の照明装置。
【請求項３】
前記第１半導体発光部と電気的に接続された第１接続端子部をさらに備え、
前記第１光透過性部材は、前記第１部材端の一端と前記第２部材端の一端とに接続された第３部材端をさらに有し、
前記第１ベース部は、前記第１ベース端の一端と前記第２ベース端の一端とに接続された第３ベース端をさらに有し、
前記第１シャーシは、
前記第３ベース端と前記第３部材端との間に設けられ、前記第１方向及び前記第２方向に対してそれぞれ交差する第３方向と交差する第３側部をさらに含み、
前記第１接続端子部は、前記第３側部を前記第３方向において貫通する請求項１または２に記載の照明装置。
【請求項４】
前記第１側部は、前記第１端部と前記第２端部との間に設けられた第１中間部をさらに含み、
前記第１端部と前記第１中間部とを結ぶ線分と、前記第２方向と、の間の角度は、前記第１中間部と前記第２端部とを結ぶ線分と、前記第２方向と、の間の角度よりも小さく、
前記第２側部は、前記第３端部と前記第４端部との間に設けられた第２中間部をさらに含み、
前記第３端部と前記第２中間部とを結ぶ線分と、前記第２方向と、の間の角度は、前記第２中間部と前記第４端部とを結ぶ線分と、前記第２方向と、の間の角度よりも小さい請求項１〜３のいずれか１つに記載の照明装置。
【請求項５】
前記第１側部は、前記第２側部の側の第１内側面を有し、
前記第２側部は、前記第１側部の側の第２内側面を有し、
前記第１内側面の少なくとも一部の反射率は、前記第１光透過性部材の反射率よりも高く、
前記第２内側面の少なくとも一部の反射率は、前記第１光透過性部材の反射率よりも高い請求項１〜４のいずれか１つに記載の照明装置。
【請求項６】
前記第１側部は、前記第１内側面と反対側の第１外側面を有し、
前記第２側部は、前記第２内側面と反対側の第２外側面を有し、
前記第１外側面の少なくとも一部の放射率は、前記第１光透過性部材の放射率よりも高く、
前記第２外側面の少なくとも一部の放射率は、前記第１光透過性部材の放射率よりも高い請求項５記載の照明装置。
【請求項７】
第１部材端と、第１方向において前記第１部材端と離間する第２部材端と、を有する第１光透過性部材と、
前記第１方向と交差する第２方向において前記第１光透過性部材と離間する第１ベース部であって、第１ベース端と、前記第１方向において前記第１ベース端と離間する第２ベース端と、を有する第１ベース部と、前記第１ベース端から前記第１部材端に向けて延び、前記第１ベース端に接続された第１端部と、前記第１部材端の側の第２端部と、を有する第１側部と、前記第２ベース端から前記第２部材端に向けて延び、前記第２ベース端に接続された第３端部と、前記第２部材端の側の第４端部と、を有する第２側部と、を含み、前記第１端部と前記第３端部との間の前記第１方向に沿った距離は、前記第２端部と前記第４端部との間の前記第１方向に沿った距離よりも短い第１シャーシと、
前記第１光透過性部材と前記第１ベース部との間において、前記第１側部と前記第２側部との間に設けられた第１半導体発光部と、
を含む第１照明装置と、
前記第１半導体発光部と電気的に接続され前記第１半導体発光部に供給される電流を制御する制御部と、
前記第１照明装置を保持する保持部と、
を備えた照明ユニット。
【請求項８】
前記第１照明装置は、前記第１半導体発光部と電気的に接続された第１接続端子部をさらに含み、
前記第１光透過性部材は、前記第１部材端の一端と前記第２部材端の一端とに接続された第３部材端をさらに、有し、
前記第１ベース部は、前記第１ベース端の一端と前記第２ベース端の一端とに接続された第３ベース端とをさらに、有し、
前記第１シャーシは、
前記第３ベース端と前記第３部材端との間に設けられ、前記第１方向に対して交差し前記第２方向に対して交差する第３方向と交差する第３側部をさらに含み、
前記第１接続端子部は、前記第３側部を前記第３方向において貫通する請求項７記載の照明ユニット。
【請求項９】
前記第１接続端子部は、前記保持部を介して前記制御部と電気的に接続される請求項８記載の照明ユニット。
【請求項１０】
第５部材端と、第１方向において前記第５部材端と離間する第６部材端と、を有する第２光透過性部材と、
前記第２方向において前記第２光透過性部材と離間する第２ベース部であって、第５ベース端と、前記第１方向において前記第５ベース端と離間し、前記第２ベース端と前記第５ベース端との間であって、前記第１ベース端と前記第５ベース端との間に設けられる第６ベース端と、を有する第２ベース部と、前記第５ベース端から前記第５部材端に向けて延び、前記第５ベース端に接続された第５端部と、前記第５部材端の側の第６端部と、を有する第５側部と、前記第６ベース端から前記第６部材端に向けて延び、前記第６ベース端に接続された第７端部と、前記第６部材端の側の第８端部と、を有する第６側部と、を含み、前記第５端部と前記第７端部との間の前記第１方向に沿った距離は、前記第６端部と前記第８端部との間の前記第１方向に沿った距離よりも短い第２シャーシと、
前記第２光透過性部材と前記第２ベース部との間において、前記第５側部と前記第６側部との間に設けられた第２半導体発光部と、
を含む第２照明装置をさらに備え、
前記保持部は、前記第１ベース部、前記第２ベース部、及び、前記制御部を保持する保持面を有し、
前記制御部は、前記第２半導体発光部とさらに電気的に接続され前記第１半導体発光部に供給される電流をさらに制御し、
前記制御部は、前記第１ベース端、前記第６ベース端、及び、前記保持面によって形成される空間に配置される請求項７〜９のいずれか１つに記載の照明装置。
【発明の詳細な説明】
【技術分野】
【０００１】
本発明の実施形態は、照明装置及び照明ユニットに関する。
【背景技術】
【０００２】
照明装置及び照明ユニットが、広く利用されている。照明装置及び照明ユニットにおいて、発光面に暗部がなく、均一に発光することが望まれている。
【先行技術文献】
【特許文献】
【０００３】
【特許文献１】実用新案登録第３１４４２２０号公報
【発明の概要】
【発明が解決しようとする課題】
【０００４】
本発明の実施形態は、均一に発光する照明装置及び照明ユニットを提供する。
【課題を解決するための手段】
【０００５】
本発明の実施形態によれば、第１光透過性部材と、第１シャーシと、第１半導体発光部と、を含む照明装置が提供される。前記第１光透過性部材は、第１部材端と、第１方向において前記第１部材端と離間する第２部材端と、を有する。前記第１シャーシは、第１ベース部と、第１側部と、第２側部と、を含む。前記第１ベース部は、前記第１方向と交差する第２方向において前記第１光透過性部材と離間する。前記第１ベース部は、第１ベース端と、前記第１方向において前記第１ベース端と離間する第２ベース端と、を有する。前記第１側部は、前記第１ベース端から前記第１部材端に向けて延び、前記第１ベース端に接続された第１端部と、前記第１部材端の側の第２端部と、を有する。前記第２側部は、前記第２ベース端から前記第２部材端に向けて延び、前記第２ベース端に接続された第３端部と、前記第２部材端の側の第４端部と、を有する。前記第１シャーシにおいて、前記第１端部と前記第３端部との間の前記第１方向に沿った距離は、前記第２端部と前記第４端部との間の前記第１方向に沿った距離よりも短い。前記第１半導体発光部は、前記第１光透過性部材と前記第１ベース部との間において、前記第１側部と前記第２側部との間に設けられる。
【図面の簡単な説明】
【０００６】
【図１】図１（ａ）〜図１（ｃ）は、第１の実施形態に係る照明装置を示す模式図である。
【図２】図２は、第１の実施形態に係る照明ユニットを示す斜視図である。
【図３】図３（ａ）及び図３（ｂ）は、第１の実施形態に係る照明ユニットを示す模式断面図である。
【図４】図４（ａ）及び図４（ｂ）は、第１の実施形態に係る照明ユニットを示す模式断面図である。
【図５】第１の実施形態に係る照明ユニットを示す斜視図である。
【図６】第２の実施形態に係る照明装置を示す模式的断面図である。
【図７】第２の実施形態に係る照明ユニットを示す模式断面図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）  
図１（ａ）〜図１（ｃ）は、第１の実施形態に係る照明装置を例示する模式図である。  図１（ｂ）は、照明装置１１１の例を表す斜視図である。図１（ｃ）は、照明装置１１１の例を表す斜視図である。図１（ｃ）は、図１（ｂ）の上下を反転させた図である。図１（ａ）は、照明装置１１１の例を表す模式的断面図であり、図１（ｂ）のＡ１−Ａ２線断面図に相当する。
【０００９】
図１に表したように、照明装置１１１(第１照明装置）は、光透過性部材５１(第１光透過性部材）と、シャーシ４１(第１シャーシ）と、半導体発光部６１(第１半導体発光部）と、を含む。
【００１０】
光透過性部材５１は、第１部材端７１と第２部材端７２とを有する。第２部材端７２は、第１方向(例えば、Ｘ軸方向）において第１部材端７１と離間する。
【００１１】
本願明細書において、第１部材端７１から第２部材端７２に向かう方向を第１方向（Ｘ軸方向）とする。第１方向（Ｘ軸方向）と直交する１つの方向をＺ軸方向とする。Ｘ軸方向及びＺ軸方向と直交する方向をＹ軸方向とする。
【００１２】
シャーシ４１は、ベース部１１(第１ベース部）と、第１側部２１と、第２側部２２と、を含む。  
ベース部１１は、第１方向と交差する第２方向（例えば、Ｚ軸方向）において、光透過性部材５１と離間する。ベース部１１は、第１ベース端８１と第２ベース端８２とを有する。第２ベース端８２は、第１方向において第１ベース端８１と離間する。
【００１３】
第１ベース端８１は、例えば、第３方向に沿って延在する。第２ベース端８２は、例えば、第３方向に沿って延在する。第３方向は、第１方向に対して交差し、かつ、第２方向に対して交差する方向（例えば、Ｙ軸方向）である。
【００１４】
ベース部１１は、例えば、第３ベース端８３及び第４ベース端８４をさらに有している。第３ベース端８３は、例えば、第１ベース端８１の一端と、第２ベース端８２の一端と、に接続される。第４ベース端８４は、例えば、第３方向において第３ベース端８３と離間する。第４ベース端８４は、例えば、第１ベース端８１の他端と、第２ベース端８２の他端と、に接続される。
【００１５】
ベース部１１の形状は、例えば、矩形である。この例では、ベース部１１は、第１ベース端８１及び第２ベース端８２を長辺とし、第３ベース端８３及び第４ベース端８４を短辺とする長方形である。ベース部１１の形状は、例えば、矩形以外の多角形でもよい。
【００１６】
ベース部１１は、例えば、光透過性部材５１と対向して設けられる。ベース部１１は、第１主面１１ａと、第２主面１１ｂと、を有する。第１主面１１ａは、例えば、光透過性部材５１と対向する面である。第２主面１１ｂは、第１主面１１ａと反対側の面である。
【００１７】
本願明細書において、対向する状態は、直接面している状態に加え、間に別の要素が挿入されている状態も含む。
【００１８】
第１側部２１は、第１ベース端８１から第１部材端７１に向けて延びる。第１側部２１は、例えば、ベース部１１と接続され、光透過性部材５１に向かって延出する。第１側部２１は、第１端部３１と第２端部３２とを有する。第１側部２１において、第１端部３１は、第１ベース端８１に接続される。第１側部２１において、第２端部３２は、第１部材端７１側に配置される。
【００１９】
第１側部２１において、第１端部３１は、例えば、第３方向（Ｙ軸方向）に沿って延在する。第２端部３２は、例えば、第３方向（Ｙ軸方向）に沿って延在する。
【００２０】
第１側部２１の形状は、例えば、矩形である。この例では、第１側部２１は、第１端部３１及び第２端部３２を長辺とする長方形である。第１側部２１の形状は、例えば、矩形以外の多角形でもよい。
【００２１】
第１側部２１は、例えば、第１内側面２１ａと第１外側面２１ｂを有する。第１内側面２１ａは、第２側部２２の側の面である。第１外側面２１ｂは、第１内側面２１ａと反対側の面である。
【００２２】
第２側部２２は、第２ベース端８２から第２部材端７２に向けて延びる。第２側部２２は、例えば、第１方向において第１側部２１と離間する。第２側部２２は、例えば、ベース部１１と接続され、光透過性部材５１に向かって延出する。第２側部２２は、第３端部３３と第４端部３４とを有する。第２側部２２において、第３端部３３は、第２ベース端８２に接続される。第２側部２２において、第４端部３４は、第２部材端７２側に配置される。
【００２３】
第２側部２２において、第３端部３３は、例えば、第３方向（Ｙ軸方向）に沿って延在する。第４端部３４は、例えば、第３方向（Ｙ軸方向）に沿って延在する。
【００２４】
第２側部２２の形状は、例えば、矩形である。この例では、第２側部２２は、第３端部３３及び第４端部３４を長辺とする長方形である。第２側部の形状は、例えば、矩形以外の多角形でもよい。
【００２５】
第２側部２２は、例えば、第２内側面２２ａと第２外側面２２ｂを有する。第２内側面２２ａは、第１側部２１の側の面である。第２外側面２２ｂは、第２内側面２２ａと反対側の面である。
【００２６】
シャーシ４１において、第１端部３１と第３端部３３との間の第１方向に沿った距離(第１距離ｄ１）は、第２端部３２と第４端部３４との間の第１方向に沿った距離（第２距離ｄ２）よりも短い。
【００２７】
第１方向と第２方向とを含む第１平面（この例ではＸ−Ｚ平面）に投影したときに、第１端部３１と第２端部３２とを結ぶ線分と、第２方向と、の間の角度α１は、例えば、０度よりも大きく９０度よりも小さい。第１平面に投影したときに、第３端部３３と第４端部３４とを結ぶ線分と、第２方向と、の間の角度α２は、例えば、０度よりも大きく９０度よりも小さい。  
角度α１と角度α２とは、同じ角度であっても、異なる角度であってもよい。第１平面は、例えば、第３方向に対して垂直である。
【００２８】
光透過性部材５１は、例えば、第３部材端７３及び第４部材端７４をさらに有している。第３部材端７３は、例えば、第１部材端７１の一端及び第２部材端７２の一端に接続される。第４部材端７４は、例えば、第３方向（Ｙ軸方向）において第３部材端７３と離間する。第４部材端７４は、例えば、第１部材端７１の他端及び第２部材端７２の他端に接続される。
【００２９】
光透過性部材５１の形状は、例えば、矩形である。この例では、光透過性部材５１は、第１部材端７１及び第２部材端７２を長辺とし、第３部材端７３及び第４部材端７４を短辺とする長方形である。光透過性部材５１の形状は、例えば、矩形以外の多角形でもよい。
【００３０】
図１（ａ）に表したように、第３方向に対して垂直な平面(例えば第１平面）に投影したときに、照明装置１１１の形状は、例えば、ベース部１１、第１側部２１、第２側部２２及び光透過性部材５１によって構成された台形である。
【００３１】
シャーシ４１は、内側面と外側面とを有する。内側面には、例えば、第１内側面２１ａ、第２内側面２２ａ、及び、第１主面１１ａが含まれる。外側面は、例えば、第１外側面２１ｂ、第２外側面２２ｂ、及び第２主面１１ｂが含まれる。
【００３２】
半導体発光部６１は、光透過性部材５１とベース部１１との間において、第１側部２１と第２側部２２との間に設けられる。半導体発光部６１は、例えば、ベース部１１の第１主面１１ａの上に設けられる。半導体発光部６１は、例えば、ベース部１１と接している。
【００３３】
本願明細書において、「上に設けられる」状態は、直接接して設けられる状態の他に、間に他の層が挿入される状態も含む。
【００３４】
半導体発光部６１は、例えば、基板６１ｓと、半導体発光素子６１ｅとを含む。基板６１ｓは、例えば、第１主面１１ａの上に設けられる。基板６１ｓには、例えば、ガラスエポキシ基板、アルミ製基板、鉄製基板、アルミナセラミックス製基板が用いられる。
【００３５】
半導体発光素子６１ｅは、例えば、基板６１ｓの上に設けられる。この例では、基板６１ｓ上に複数の半導体発光素子６１ｅが設けられている。半導体発光素子６１ｅの数は任意である。半導体発光素子６１ｅには、例えば、発光ダイオード（ＬＥＤ）が用いられる。
【００３６】
この例では、半導体発光部６１は、回路部６１ｃをさらに含む。回路部６１ｃは、例えば、半導体発光素子６１ｅと電気的に接続されている。例えば、回路部６１ｃを介して電流または電圧が半導体発光素子６１ｅに供給される。それによって、半導体発光素子６１ｅから光が放出される。  
なお、基板６１ｓとして、回路部６１ｃを含む回路基板を用いてもよい。
【００３７】
半導体発光部６１からは、光が、例えば、等方的に放出される。一方で、第１側部２１及び第２側部２２は、ベース部１１側から光透過性部材５１側に向かって拡開している。そのため、半導体発光部６１から放出された光は、シャーシ４１の内側面（例えば、第１内側面２１ａ、第２内側面２２ａ及び第１主面１１ａ）によって反射され、光透過性部材５１側に均一に拡散される。そして、この均一に拡散された光が、光透過性部材５１を通して外部に出射される。照明装置１１１においては、均一な発光が得られる。なお、光透過性部材５１が光出射面となる。
【００３８】
第１側部２１及び第２側部２２による光の反射回数が多い場合には、例えば、光の吸収量が増大して照明装置１１１の発光効率が低下する場合がある。一方で、反射回数が少ない場合には、例えば、光の拡散が不十分となって均一な発光が得られない場合がある。ベース部１１と第１側部２１との間の角度α１を、例えば、４５度以上７５度以下とする。ベース部１１と第２側部２２と角度α２を、例えば、４５度以上７５度以下とする。それによって、シャーシ４１の内側面における反射回数を適切にすることができる。
【００３９】
また、半導体発光部６１（半導体発光素子６１ｅ）と光透過性部材５１との間の第３距離ｄ３が短い場合にも、光の反射回数が少なくなり、均一な発光が得られない場合がある。第３距離ｄ３は、例えば、１ｃｍ以上１０ｃｍ以下である。
【００４０】
照明装置１１１においては、第１側部２１及び第２側部２２がベース部１１から光透過性部材５１に向かって拡開しているため、光出射面を大きくすることができる。
【００４１】
第３方向（Ｙ軸方向）に対して垂直な平面(例えば第１平面）に投影したときに、第２端部３２と第３端部３３を含む線分と、第１方向と、の間の角度β１は、例えば、１５度以上４５度以下である。
【００４２】
第３方向（Ｙ軸方向）に対して垂直な平面に投影したときに、第１端部３１と第４端部３４とを結ぶ線分と、第１方向と、の間の角度β２は、例えば、１５度以上４５度以下である。  
角度β１と角度β２とは、同じ角度であっても、異なる角度であってもよい。
【００４３】
シャーシ４１において、角度β１及び角度β２をこの範囲にすると、半導体発光部６１からの光は、例えば、第１側部２１及び第２側部２２により効果的に遮られる。シャーシ４１によって、適切な遮光を得ることができ、例えば、斜め方向から照明装置１１１を見た場合であっても、半導体発光部６１からの光が直接目に入ることが抑制される。眩しさを抑えることができる。
【００４４】
シャーシ４１（例えば、ベース部１１、第１側部２１及び第２側部２２）は、例えば、金属を含む。金属としては、放熱性が高いものを用いることができる。シャーシ４１は、例えば、アルミニウム合金、または鋼を含む。シャーシ４１には、例えば、鋼板またはアルミニウム板などが用いられる。シャーシ４１において、ベース部１１、第１側部２１及び第２側部２２には、それぞれ同じ材料を用いてもよいし、それぞれ異なる材料を用いてもよい。
【００４５】
光透過性部材５１には、例えば、光透過性を有するプラスチック板、または、ガラス板が用いられる。光透過性部材５１には、例えば、光透過性を有するポリカーボネート板、アクリル板、などを用いることができる。
【００４６】
第１側部２１において、例えば、第１内側面２１ａの少なくとも一部の反射率は、光透過性部材５１の反射率よりも高い。第２側部２２において、例えば、第２内側面２２ａの少なくとも一部の反射率は、光透過性部材５１の反射率よりも高い。これにより、第１側部２１及び第２側部２２における反射による光の損失を抑えることができ、光取出し効率を高めることができる。なお、ベース部１１の第１主面１１ａの少なくとも一部、例えば第１主面１１ａのうち半導体発光部６１が配置される領域以外の一部、の光反射率を光透過性部材５１の反射率よりも高くしてもよい。
【００４７】
第１内側面２１ａの少なくとも一部、及び、第２内側面２２ａの少なくとも一部、第１主面１１ａの少なくとも一部、のうちの少なくともいずれかに、例えば、反射層を設けてもよい。反射層は、例えば、第１塗料を塗布することによって形成される。第１塗料には、半導体発光部６１において発生する熱に対する耐性を有するものを用いることが好ましい。また、第１塗料には、半導体発光部６１からの光に対する耐性を有するものを用いることが好ましい。第１塗料には、例えば、白色塗料を用いることができる。
【００４８】
白色塗料は、少なくとも１種類の白色顔料と、少なくとも１種類の樹脂と、を含む。白色顔料には、例えば、酸化チタン（ＴｉＯ２）、酸化亜鉛（ＺｎＯ）、硫酸バリウム（ＢａＳＯ４）、酸化マグネシウム（ＭｇＯ）等を用いることができる。樹脂には、例えば、ポリエステル樹脂、シリコーン樹脂を用いることが好ましい。樹脂には、例えば、アクリル樹脂、エポキシ樹脂、ウレタン樹脂等を用いてもよい。
【００４９】
シャーシ４１の熱伝導率は、例えば、光透過性部材５１の熱伝導率よりも高い。第１側部２１において、例えば、第１外側面２１ｂの少なくとも一部の放射率は、光透過性部材５１の放射率よりも高い。第２側部２２において、例えば、第２外側面２２ｂの少なくとも一部の放射率は、光透過性部材５１の放射率よりも高い。これにより、シャーシ４１の放熱性を高めることができ、半導体発光部６１の温度上昇を抑制できる。なお、第３外側面であるベース部１１の第２主面１１ｂの少なくとも一部の放射率を、光透過性部材５１の放射率よりも高くしてもよい。
【００５０】
第１外側面２１ｂの少なくとも一部、及び、第２外側面２２ｂの少なくとも一部、第２主面１１ｂの少なくとも一部、のうちの少なくともいずれかに、例えば、熱放射層を設けてもよい。熱放射層は、例えば、第２塗料を塗布することによって形成される。第２塗料には、例えば、シリコーン樹脂系、ウレタン樹脂系、ポリエステル樹脂系などの有機系の塗料を用いることができる。これらの塗料に、さらに、添加剤を添加してもよい。添加剤には、高い放射率を有するものを用いることができる。添加剤として、例えば、セラミックフィラーなどを用いることができる。セラミックフィラーには、例えば、アルミナ（Ａｌ２Ｏ３）等を用いることができる。第１塗料と第２塗料とは、異なる塗料であってもよいし、同じ塗料であってもよい。
【００５１】
熱放射層として、例えば、第１外側面２１ｂの少なくとも一部、及び、第２外側面２２ｂの少なくとも一部、の少なくともいずれかに、酸化皮膜を設けてもよい。酸化皮膜は、例えば、第１外側面２１ｂまたは第２外側面２２ｂに表面処理（例えばアルミニウムの陽極酸化処理）を施すことによって形成してもよい。
【００５２】
例えば、半導体発光部６１の温度が上昇すると、半導体発光素子６１ｅの発光効率が低下する。また、使用中に半導体発光部６１の温度が上昇する場合には、半導体発光部６１への投入電力を増大させることができず、発光出力を上げることが困難である。  
シャーシ４１の熱伝導率または放射率を高くしてシャーシ４１の放熱性を高めることで、発光効率を高めることができる。
【００５３】
図１（ｂ）及び図１（ｃ）に表したように、この例では、シャーシ４１は、さらに、第３側部２３及び第４側部２４を含んでいる。例えば、第３側部２３と第４側部２４との間に、半導体発光部６１が設けられる。
【００５４】
第３側部２３は、例えば、第３ベース端８３と第３部材端７３との間に設けられる。第３側部２３は、第３方向（Ｙ軸方向）と交差する。第３側部２３は、例えば、第３方向と直交する。
【００５５】
第４側部２４は、例えば、第４ベース端８４と第４部材端７４との間に設けられる。第４側部２４は、第３方向（Ｙ軸方向）と交差する。第４側部２４は、例えば、第３方向と直交する。
【００５６】
第３側部２３は、例えば、ベース部１１、第１側部２１及び第２側部２２の少なくともいずれかと接続される。第４側部２４は、例えば、ベース部１１、第１側部２１及び第２側部２２の少なくともいずれかと接続される。
【００５７】
図１（ｂ）及び図１（ｃ）に表したように、この例では、第３側部２３は、ベース部１１(第３ベース端８３）、第１側部２１及び第２側部２２とそれぞれ接続されている。第４側部２４は、ベース部１１(第４ベース端８４）、第１側部２１及び第２側部２２とそれぞれ接続されている。この例では、第３側部２３の形状及び第４側部２４の形状は、それぞれ、台形である。第３側部２３の形状及び第４側部２４の形状は、それぞれ、任意である。
【００５８】
また、光透過性部材５１は、第１側部２１、第２側部２２、第３側部２３及び第４側部２４と接続されている。すなわち、ベース部１１、第１側部２１、第２側部２２、第３側部２３、第４側部２４及び光透過性部材５１によって、半導体発光部６１が覆われている。そのため、例えば、異物などが半導体発光部６１に進入することを抑制できる。また、照明装置１１１を設置するときに、誤って半導体発光部６１に触れてしまうことを防止できる。
【００５９】
このとき、例えば、第１側部２１と第３側部２３との間、ベース部１１と第３側部２３との間、第２側部２２と第３側部２３との間、光透過性部材５１と第３側部２３との間、第１側部２１と第４側部２４との間、ベース部１１と第４側部２４との間、第２側部２２と第４側部２４との間、及び、光透過性部材５１と第４側部２４との間のうちの少なくとも１箇所に開口を設けることが好ましい。この開口を通して、半導体発光部６１からの熱を外部に放出することができる。
【００６０】
図１（ｃ）に表したように、この例では、照明装置１１１は、接続端子部９１(第１接続端子部）をさらに含んでいる。接続端子部９１は、例えば、第３側部２３を第３方向において貫通する。接続端子部９１を、例えば、第４側部２４に設けてもよい。この場合、接続端子部９１は、例えば、第４側部２４を第３方向において貫通する。接続端子部９１を、第３側部２３及び第４側部２４の両方に設けてもよい。接続端子部９１の数は、任意である。
【００６１】
接続端子部９１には、例えば、金属が用いられる。金属として、例えば、電気伝導率が高い金属を用いることが好ましい。接続端子部９１には、例えば、銅、アルミニウムのうちの少なくともいずれか、または、それらのうちの少なくともいずれかを含む合金を用いることができる。また、接続端子部９１の表面をめっき処理したものを用いることもできる。めっき処理には、例えば、錫めっきや、金めっきなどを用いることができる。
【００６２】
接続端子部９１の形状は、任意である。例えば、接続端子部９１は凸状である。
【００６３】
接続端子部９１は、例えば、半導体発光部６１と電気的に接続される。接続端子部９１は、例えば、半導体発光部６１に給電するための電極として機能する。
【００６４】
図２は、第１の実施形態に係る照明ユニットを例示する斜視図である。  
図２に表したように、照明ユニット３１１は、第１照明装置１１１と、第２照明装置１１２と、制御部２００と、保持部２１０と、を含む。この例では、照明ユニット３１１が、２つの照明装置(第１照明装置１１１及び第２照明装置１１２）を含む例について説明する。なお、第１照明装置１１１及び第２照明装置１１２には、図１（ａ）〜図１（ｂ）に関して説明した照明装置を用いることができる。
【００６５】
すなわち、第２照明装置１１２は、第２光透過性部材５２と、第２シャーシ４２と、第２半導体発光部６２とを含む。第２光透過性部材５２は、第５部材端７５と第６部材端７６とを有する。第６部材端７６は、第１方向において第５部材端７５と離間する。この例では、第２光透過性部材５２は、第７部材端７７及び第８部材端７８をさらに有している。第７部材端７７は、例えば、第５部材端７５の一端及び第６部材端７６の一端に接続される。第８部材端７８は、例えば、第３方向において第７部材端７７と離間する。第８部材端７８は、例えば、第５部材端７５の他端及び第６部材端７６の他端に接続される。
【００６６】
第２シャーシ４２は、第２ベース部１２と、第３側部２３と、第４側部２４と、を含む。第２ベース部１２は、第２方向（Ｚ軸方向）において、第２光透過性部材５２から離間する。第２ベース部１２は、第５ベース端８５と第６ベース端８６とを有する。第６ベース端８６は、第１方向において第５ベース端８５と離間する。
【００６７】
第５ベース端８５は、例えば、第３方向(Ｙ軸方向）に沿って延在する。第６ベース端８６は、例えば、第３方向(Ｙ軸方向）に沿って延在する。
【００６８】
第２ベース部１２は、例えば、第７ベース端８７及び第８ベース端８８をさらに有している。第７ベース端８７は、例えば、第５ベース端８５の一端と、第６ベース端８６の一端と、に接続される。第８ベース端８８は、例えば、第５ベース端８５の他端と、第６ベース端８６の他端と、に接続される。
【００６９】
第５側部２５は、第５ベース端８５から第５部材端７５に向けて延びる。第５側部２５は、例えば、第２ベース部１２と接続され、第２光透過性部材５２に向かって延出する。第５側部２５は、第５端部３５と第６端部３６とを有する。第５側部２５において、第５端部３５は、第５ベース端８５に接続される。第５側部２５において、第６端部３６は、第５部材端７５側に配置される。
【００７０】
第６側部２６は、第６ベース端８６から第６部材端７６に向けて延びる。第６側部２６は、例えば、第１方向において第５側部２５と離間する。第６側部２６は、例えば、第２ベース部１２と接続され、第２光透過性部材５２に向かって延出する。第６側部２６は、第７端部３７と第８端部３８とを有する。第６側部２６において、第７端部３７は、第６ベース端８６に接続される。第６側部２６において、第８端部３８は、第６部材端７６側に配置される。
【００７１】
第２シャーシ４２において、第５端部３５と第７端部３７との間の第１方向に沿った距離は、第６端部３６と第８端部３８との間の第１方向に沿った距離よりも短い。
【００７２】
第２半導体発光部６２は、第２光透過性部材５２と第２ベース部１２との間において、第５側部２５と第６側部２６との間に設けられる。第２半導体発光部６２は、例えば、第２基板６２ｓと、第２半導体発光素子６２ｅと、第２回路部６２ｃと、を含む。
【００７３】
この例では、第２照明装置１１２は、第７側部２７、第８側部２８、及び、第２接続端子部９２をさらに含んでいる。第７側部２７は、例えば、第７ベース端８７と第７部材端７７との間に設けられる。第７側部２７は、第３方向と交差する。第７側部２７は、例えば、第２ベース部１２、第５側部２５及び第６側部２６に接続されている。第８側部２８は、例えば、第８ベース端８８と第８部材端７８との間に設けられる。第８側部２８は、第３方向と交差する。第８側部２８は、例えば、第２ベース部１２、第５側部２５及び第６側部２６に接続されている。第２接続端子部９２は、例えば、第７側部２７を第３方向において貫通する。第２接続端子部９２は、例えば、第８側部２８に設けてもよい。
【００７４】
保持部２１０は、例えば、保持面２１０ｆと、第１側面２１１と、第２側面２１２を有する。第１側面２１１は、例えば、保持面２１０ｆと接続される。第１側面２１１は、例えば、保持面２１０ｆと非平行である。第１側面２１１は、例えば、第１内面２１１ａと第１外面２１１ｂとを有する。第１内面２１１ａは、保持面２１０ｆ側の面である。第１外面２１１ｂは、第１内面２１１ａと反対側の面である。
【００７５】
第２側面２１２は、例えば、第３方向（Ｙ軸方向）において第１側面２１１から離間する。第２側面２１２は、例えば、保持面２１０ｆと接続される。第２側面２１２は、例えば、保持面２１０ｆと非平行である。第２側面２１２は、例えば、第１側面２１１と対向する。第２側面２１２は、例えば、第２内面２１２ａと第２外面２１２ｂとを有する。第２内面２１２ａは、保持面２１０ｆ側の面である。第２外面２１２ｂは、第２内面２１２ａと反対側の面である。
【００７６】
保持部２１０は、第１照明装置１１１及び第２照明装置１１２を保持する。第１照明装置１１１及び第２照明装置１１２は、例えば、保持面２１０ｆの上に保持される。
【００７７】
この例では、第１照明装置１１１の第１ベース部（ベース部１１）が、保持面２１０ｆに保持されており、第２照明装置１１２の第２ベース部１２が、保持面２１０ｆに保持されている。このとき、第２ベース端８２と第５ベース端８５との間に、例えば、第６ベース端８６が配置される。また、第１ベース端８１と第５ベース端８５との間に、例えば、第６ベース端８６が配置される。すなわち、この例では、矩形状の第１ベース部１１及び矩形状の第２ベース部１２において、それぞれの長辺同士が対向するように、第１照明装置１１１及び第２照明装置１１２は配置されている。
【００７８】
例えば、第１照明装置１１１の第３側部２３は、第１側面２１１と対向し、第４側部２４は、第２側面２１２と対向する。第２照明装置１１２の第７側部２７は、第１側面２１１と対向し、第８側部２８は、第２側面２１２と対向する。このとき、第１光透過性部材５１と第２光透過性部材５２との間に形成される隙間が小さくなるように、第１照明装置１１１及び第２照明装置１１２を配置してもよい。これによって、照明ユニット３１１の全域に亘って均一な発光が得られる。なお、放熱を考慮して、第１光透過性部材５１と第２光透過性部材５２との間に、わずかな隙間を設けてもよい。この隙間については、後述する。
【００７９】
制御部２００は、例えば、第１照明装置１１１と第２照明装置１１２との間に設けられる。制御部２００は、例えば、第１側部２１、第６側部２６及び保持面２１０ｆによって形成される空間に設けられる。制御部２００は、例えば、第１ベース部１１と第２ベース部１２との間に設けられる。制御部２００は、例えば、保持面２１０ｆに保持される。
【００８０】
制御部２００は、例えば、第１半導体発光部６１及び第２半導体発光部６２と電気的に接続される。制御部２００は、例えば、第１半導体発光部６１に供給される電流を制御する。制御部２００は、例えば、第２半導体発光部６２に供給される電流を制御する。制御部２００によって、例えば、複数の半導体発光部（第１半導体発光部６１及び第２半導体発光部６２）の動作（オンオフ、明るさなど）が制御される。
【００８１】
照明装置において、シャーシは、例えば、ベース部から光透過性部材に向かって拡開する。シャーシの形状は、例えば、台形である。この場合に照明ユニットとして照明装置を複数配置すると、照明装置同士の間に空間が形成される。この空間は、例えば、対向する側部同士（例えば、第１側部２１と第６側部２６）及び保持面２１０ｆにより形成される。制御部２００は、例えば、この空間に配置してもよい。また、この空間には、例えば、取付治具や端子台などを配置してもよい。これにより、制御部２００等によって半導体発光部からの光が遮られることが抑制され、照明ユニットにおいて均一な発光を得ることができる。また、照明ユニットの外観が良好となる。
【００８２】
第１側面２１１及び第２側面２１２の形状は、シャーシの形状に合わせたものとしてもよい。例えば、シャーシの形状が台形の場合には、第１側面２１１及び第２側面２１２の一部に凸状部分(例えば、第１凸状部分２１１ｐ）を設けてもよい。凸状部分の先端は、例えば、第１照明装置１１１と第２照明装置１１２との間に配置される。また、照明装置を保持部２１０に保持したときに、光透過性部材の少なくとも一部が、第１側面２１１及び第２側面２１２から突出していてもよい。
【００８３】
第１側面２１１及び第２側面２１２は、例えば、被接続部２１３を含んでいる。被接続部２１３は、例えば、複数設けられる。被接続部２１３には、例えば、照明装置の接続端子部（例えば、第１接続端子部９１及び第２接続端子部９２）が接続される。被接続部２１３と接続端子部とは、例えば、機械的に接続される。照明装置は、例えば、接続端子部と被接続部２１３との接続によって、保持部２１０に保持されてもよい。例えば、接続端子部を凸状（例えばピン型）とし、被接続部を凹状として、これらを嵌合させてもよい。被接続部２１３と接続端子部とは、例えば、電気的に接続される。接続端子部は、例えば、保持部２１０を介して制御部２００と電気的に接続される。
【００８４】
被接続部２１３は、例えば、制御部２００と電気的に接続されている。そのため、照明装置の接続端子部（例えば、第１接続端子部９１及び第２接続端子部９２）を被接続部２１３に接続することで、制御部２００と照明装置の半導体発光部（例えば、第１半導体発光部６１及び第２半導体発光部６２）とが電気的に接続される。これによって、被接続部２１３を介して半導体発光部６２への給電が可能となる。
【００８５】
保持部２１０には、例えば、プラスチックまたは金属が用いられる。被接続部２１３には、例えば、金属が用いられる。保持部２１０において、被接続部２１３のみに異なる材料を用いてもよい。例えば、被接続部２１３には金属を用い、保持部２１０のそれ以外の部分にはプラスチックを用いてもよい。
【００８６】
照明ユニット３１１においては、それぞれが均一に発光する複数（この例では２つ）の照明装置を保持部２１０に保持している。そのため、照明ユニット３１１の全域に亘って均一な発光を得ることができる。また、それぞれの照明装置に、例えば、接続端子部（例えば、第１接続端子部９１及び第２接続端子部９２）を設け、それぞれの接続端子部を保持部２１０の被接続部２１３に接続している。つまり、照明ユニット３１１において、複数の照明装置のそれぞれは、独立した状態で保持部２１０に保持される。そのため、照明ユニット３１１に含まれる複数の照明装置のうちのいずれか１つの照明装置に不具合が生じた場合には、不具合のある照明装置のみを取り外すことができる。また、照明ユニット３１１においては、被接続部２１３と制御部２００とを電気的に接続し、被接続部２１３を介して複数の照明装置への給電が可能である。そのため、複雑な配線作業が不要であり、簡便である。
【００８７】
図３（ａ）及び図３（ｂ）は、第１の実施形態に係る照明ユニットを例示する模式断面図である。図３（ａ）及び図３（ｂ）は、図１（ｂ）のＡ１−Ａ２線断面図に相当する。
図３（ａ）は、天井直付タイプの照明ユニットの例を表している。図３（ｂ）は、天井埋込タイプの照明ユニットの例を表している。この例では、照明ユニットは、１つの照明装置を含んでいる。照明ユニットには、図１（ａ）〜図１（ｂ）に関して説明した照明装置を用いることができる。なお、図３（ａ）及び図３（ｂ）において、制御部２００を透視的に表している。
【００８８】
図３（ａ）及び図３（ｂ）に表したように、この例では、制御部２００は、保持面２１０ｆに保持されている。照明装置１１１は、例えば、第１接続端子部９１によって、被接続部２１３と接続され、保持部２１０に保持されている。
【００８９】
図３（ａ）に表したように、照明ユニット３１２ａにおいては、例えば、例えば、天井ＣＥと制御部２００との間に保持面２１０ｆが配置される。照明ユニット３１２ａにおいては、取付が簡便である。
【００９０】
図３（ｂ）に表したように、照明ユニット３１２ｂにおいては、例えば、保持部２１０は、天井ＣＥ内に埋め込まれている。照明ユニット３１２ｂおいては、外観がよい。
【００９１】
照明ユニット３１２ａ及び３１２ｂにおいては、均一な発光を得ることができる。
【００９２】
図４（ａ）及び図４（ｂ）は、第１の実施形態に係る照明ユニットを例示する模式断面図である。図４（ａ）及び図４（ｂ）においては、Ｘ−Ｚ平面に投影した断面図を表している。  
図４（ａ）は、天井直付タイプの照明ユニットの例を表している。図４（ｂ）は、天井埋込タイプの照明ユニットの例を表している。なお、図４（ａ）及び図４（ｂ）においても、制御部２００を透視的に表している。
【００９３】
照明ユニット３１１ａ及び照明ユニット３１１ｂは、それぞれ、第１照明装置１１１及び第２照明装置１１２を含んでいる。第１照明装置１１１及び第２照明装置１１２は、図２に関して説明した照明装置を適用できる。
【００９４】
図４（ａ）に表したように、照明ユニット３１１ａにおいては、例えば、天井ＣＥと、第１照明装置１１１及び第１照明装置１１２と、の間に保持部２１０が配置される。  
図４（ｂ）に表したように、照明ユニット３１１ｂにおいては、例えば、保持部２１０は天井ＣＥ内に埋め込まれている。
【００９５】
照明ユニット３１１ａ及び照明ユニット３１１ｂにおいて、第１光透過性部材５１と第２光透過性部材５２との間は、隙間ＧＰが設けられている。この隙間ＧＰからは、例えば、照明ユニットの内部に空気が進入する。第１照明装置１１１及び第２照明装置１１２において、放熱が促進される。この隙間ＧＰは、例えば、通気口として機能する。
【００９６】
一方、隙間ＧＰの幅（第２方向（Ｚ軸方向）に対して垂直な平面における第１光透過性部材５１と第２光透過性部材５２との間の距離）が大き過ぎると、隙間ＧＰが非発光領域となり、照明ユニット全体として均一な発光が得られない。隙間ＧＰの幅は、例えば、０．１ｍｍ以上２ｍｍ以下である。
【００９７】
図５は、第１の実施形態に係る照明ユニットを例示する斜視図である。  
この例では、照明ユニット３１３は、７つの照明装置（第１照明装置１１１〜第７照明装置１１７）を含んでいる。各照明装置には、図１（ａ）〜図１（ｂ）に関して説明した照明装置を用いることができる。また、後述する図６に関する照明装置を用いてもよい。
【００９８】
この例では、照明ユニット３１３において、各照明装置の形状は、矩形である。各照明装置の矩形の短辺の長さＬ１は、例えば、約８６ｍｍである。各照明装置の矩形の長辺の長さＬ２は、例えば、約６００ｍｍである。この例では、照明装置が短辺方向に７つ並んでいる。この例では、照明ユニット３１３のＬ１に沿う長さは、約６０２ｍｍである。照明ユニット３１３は、例えば、スクエア型照明である。
【００９９】
（第２の実施形態）  
図６は、第２の実施形態に係る照明装置を例示する模式的断面図である。図６においては、Ｘ−Ｚ平面に投影した断面図を表している。  
本実施形態に係る照明装置１２１においては、第１側部２１は、第１中間部２１ｍをさらに含む。第２側部２２は、第２中間部２２ｍをさらに含む。それ以外については、図１（ａ）〜図１（ｃ）に関して説明した照明装置の構成を適用できる。
【０１００】
第１中間部２１ｍは、例えば、第１端部３１と第２端部３２との間に設けられる。第１方向と第２方向とを含む第１平面に投影したときに、第１端部３１と第１中間部２１ｍとを結ぶ線分と、第２方向（Ｚ軸方向）と、の間の角度α３は、第１中間部２１ｍと第２端部３２とを結ぶ線分と、第２方向と、の間の角度α４よりも小さい。
【０１０１】
第２中間部２２ｍは、例えば、第３端部３３と第４端部３４との間に設けられる。第１平面に投影したときに、第３端部３３と第２中間部２２ｍとを結ぶ線分と、第２方向と、の間の角度α５は、第２中間部２２ｍと第４端部３４とを結ぶ線分と、第２方向と、の間の角度α６よりも小さい。
【０１０２】
第１側部２１は、例えば、第１中間部２１ｍにおいてその角度が変化する。第１中間部２１ｍは、例えば、第１内側面２１ａ側に突出した凸状である。第１中間部２１ｍは、例えば、曲面状であってもよい。
【０１０３】
この例では、第１側部２１は、第１端部３１と第１中間部２１ｍとの間に設けられた第１部分２１ｐと、第１中間部２１ｍと第２端部３２との間に設けられた第２部分２１ｑとを含んでいる。第１部分２１ｐの形状は、例えば、第３方向に延出する長辺を有する矩形である。第２部分２１ｑの形状は、例えば、第３方向に延出する長辺を有する矩形である。
【０１０４】
第２側部２２は、例えば、第２中間部２２ｍにおいてその角度が変化する。第２中間部２２ｍは、例えば、第２内側面２２ａ側に突出した凸状である。第２中間部２２ｍは、例えば、曲面状であってもよい。
【０１０５】
この例では、第２側部２２は、第３端部３３と第２中間部２２ｍとの間に設けられた第３部分２２ｐと、第２中間部２２ｍと第４端部３４との間に設けられた第４部分２２ｑとを含んでいる。第３部分２２ｐの形状は、例えば、第３方向に延出する長辺を有する矩形である。第４部分２２ｑの形状は、例えば、第３方向に延出する長辺を有する矩形である。
【０１０６】
第３方向（Ｙ軸方向）に対して垂直な平面(例えば、第１平面）に投影したときに、第３端部３３と第１中間部２２ｍとを含む線分と、第１方向と、の間の角度γ１は、例えば、２５度以上４５度以下である。
【０１０７】
第３方向（Ｙ軸方向）に対して垂直な平面に投影したときに、第１端部３１と第２中間部２２ｍとを含む線分と、第１方向と、の間の角度γ２は、例えば、２５度以上４５度以下である。
【０１０８】
照明装置１２１においては、均一な発光が得られる。また、良好な遮光性が得られる。
【０１０９】
図７は、第２の実施形態に係る照明ユニットを例示する模式断面図である。図７においては、Ｘ−Ｚ平面に投影した断面図を表している。  
図７は、照明ユニット３２１の例を表している。この例では、照明ユニット３２１は、３つの照明装置（照明装置１２１〜１２３）を含んでいる。照明ユニット３２１においては、各照明装置に、図６に関して説明した照明装置を用いること以外は、図２〜図５に関して説明した照明ユニットと同様である。なお、図７においても、制御部２００を透視的に表している。
【０１１０】
照明ユニット３２１においても、均一な発光を得ることができる。また、照明ユニット３２１においては、例えば、第１側部２１が、第１中間部２１ｍを含んでおり、第２側部２２が、第２中間部２２ｍを含んでいるため、照明装置同士の間の空間を広くすることができる。放熱性が良好である。また、眩しさも抑制される。
【０１１１】
本実施形態によれば、均一に発光する照明装置及び照明ユニットを提供できる。
【０１１２】
なお、本願明細書において、「垂直」及び「平行」は、厳密な垂直及び厳密な平行だけではなく、例えば製造工程におけるばらつきなどを含むものであり、実質的に垂直及び実質的に平行であれは良い。
【０１１３】
以上、具体例を参照しつつ、本発明の実施の形態について説明した。しかし、本発明の実施形態は、これらの具体例に限定されるものではない。例えば、照明装置及び照明ユニットに含まれる、光透過性部材、シャーシ、半導体発光部、接続部、保持部、被接続部及び制御部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１１４】
その他、本発明の実施の形態として上述した照明装置及び照明ユニットを基にして、当業者が適宜設計変更して実施し得る全ての照明装置及び照明ユニットも、本発明の要旨を包含する限り、本発明の範囲に属する。
【０１１５】
その他、本発明の思想の範疇において、当業者であれば、各種の変更例及び修正例に想到し得るものであり、それら変更例及び修正例についても本発明の範囲に属するものと了解される。
【０１１６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１７】
１１…ベース部（第１ベース部）、  １１ａ…第１主面、  １１ｂ…第２主面、  １２…第２ベース部、  ２１〜２８…第１〜第８側部、  ２１ａ…第１内側面、  ２１ｂ…第１外側面、  ２１ｍ…第１中間部、  ２１ｐ…第１部分、  ２１ｑ…第２部分、  ２２ａ…第２内側面、  ２２ｂ…第２外側面、  ２２ｍ…第２中間部、  ２２ｐ…第３部分、  ２２ｑ…第４部分、  ３１〜３８…第１〜第８端部、  ４１…シャーシ(第１シャーシ）、  ４２…第２シャーシ、  ５１…光透過性部材(第１光透過性部材）、  ５２…第２光透過性部材、  ６１…半導体発光部(第１半導体発光部）、  ６１ｃ…回路部(第１回路部）、  ６１ｅ…半導体発光素子(第１半導体発光素子）、  ６１ｓ…基板(第１基板）、  ６２…第２半導体発光部、  ６２ｃ…第２回路部、  ６２ｅ…第２半導体発光素子、  ６２ｓ…第２基板、  ７１〜７８…第１〜第８部材端、  ８１〜８８…第１〜第８ベース端、  ９１…接続端子部(第１接続端子部）、  ９２…第２接続端子部、  １１１〜１１７…第１〜第７照明装置、  １２１〜１２３…照明装置、  ２００…制御部、  ２１０…保持部、  ２１０ｆ…保持面、  ２１０ｆ１…第１保持面、  ２１０ｆ２…第２保持面、  ２１１…第１側面、  ２１１ａ…第１内面、  ２１１ｂ…第１外面、  ２１１ｐ…凸状部分、  ２１２…第２側面、  ２１２ａ…第２内面、  ２１２ｂ…第２外面、  ２１３…被接続部、  ３１１、３１１ａ、３１１ｂ、３１２ａ、３１２ｂ、３１３、３２１…照明ユニット、  α１〜α６、β１、β２、γ１、γ２…角度、  ＣＥ…天井、  ＧＰ…隙間、  Ｌ１、Ｌ２…長さ、  ｄ１〜ｄ３…第１〜第３距離
【図１】
2014175092.tif 000003
【図２】
2014175092.tif 000004
【図３】
2014175092.tif 000005
【図４】
2014175092.tif 000006
【図５】
2014175092.tif 000007
【図６】
2014175092.tif 000008
【図７】
2014175092.tif 000009